(57)【要約】【課題】間仕切り板にガラス扉を取り付ける工程を有するガラス扉取付用間仕切りの構築方法において、工期を削減することが可能なガラス扉取付用間仕切りの構築方法を提供する。【解決手段】ガラス板１１ａの上部に固定金型２０を取り付けた後、該ガラス板１１ａを壁Ｗに隣接させて立設し、該固定金具２０を壁Ｗに留め付けてガラス板１１ａを固定する。次に、ガラス板１１ａの壁Ｗと反対側の側辺に、ヒンジ１４を介してガラス扉１２を取り付ける。その後、ガラス板１１ａが床Ｆに対して垂直になるように固定金型２０を微調整する。そして、ガラス板１１ａの下辺、壁Ｗ側の側辺及び上辺をそれぞれ接着剤１３により室の床Ｆ、該壁Ｗ及び天井に接着する。【選択図】図１
2006316583.tif 000002
【特許請求の範囲】
【請求項１】
室内で間仕切り板を立設し、該間仕切り板の他方の側辺にヒンジを介してガラス扉を取り付けるガラス扉取付用間仕切りの構築方法において、
該間仕切り板の上部を固定金具で壁又は天井に固定し、
その後、前記ガラス扉を該間仕切り板にヒンジを介して取り付けることを特徴とするガラス扉取付用間仕切りの構築方法。
【請求項２】
請求項１において、前記固定金具は、前記間仕切り板に取り付けられる取付体と、
先端側が該取付体に対し螺進可能に係合した可動体と、
該可動体の後端に回転自在に取り付けられたフランジとを有しており、
該取付体を間仕切り板に固定した後、該可動体を螺進させて該フランジを前記壁又は天井に当接させ、
次いで該フランジを該壁又は天井にビス留めすることを特徴とするガラス扉取付用間仕切りの構築方法。
【請求項３】
請求項２において、前記取付体は、軸留めにより回動可能に連結された主ブロックと副ブロックとを有しており、
該主ブロックに前記可動体が螺着されており、該軸留め用の軸が間仕切り板の板面と垂直となるように該副ブロックを該間仕切り板に固定し、該可動体の螺進方向が鉛直上方又は前記壁を向いた水平方向となるように該主ブロックの該軸回りの方向を定めることを特徴とするガラス扉取付用間仕切りの構築方法。
【発明の詳細な説明】
【技術分野】
【０００１】
本発明は間仕切りを構築する方法に係り、特にガラス扉付き間仕切りを構築する方法に関する。
【背景技術】
【０００２】
間仕切りを構築する方法として、方形の枠体を天井と床との間に立設し、この枠体に間仕切り板を嵌め込む方法が特開２００３−２６４５０号に記載されている。この枠体はビスにより天井及び床に固定される。なお、同号では、間仕切り板としてガラス板を用いている。
【０００３】
このような枠体を用いずに、ガラス扉取付用間仕切り板の辺をシーリング剤を兼ねる接着剤によって壁や天井あるいはさらに床に固定する工法が考えられている。
【特許文献１】特開２００３−２６４５０号
【発明の開示】
【発明が解決しようとする課題】
【０００４】
上記のように接着剤によって間仕切り板を壁や天井等に固定する場合において、間仕切り板の固定後にガラス扉を該間仕切り板にヒンジ留めすることがある。この場合には、該間仕切り板を固定するための接着剤が一日程度経って十分に固化した後でないと、ガラス扉を取り付けることはできない。このため、ガラス扉付き間仕切りを構築する場合には２日掛かりの工事になってしまい、工期及び工賃が余分に要することになる。
【０００５】
本発明は、間仕切り板にガラス扉を取り付ける工程を有するガラス扉取付用間仕切りの構築方法において、工期を削減することが可能なガラス扉取付用間仕切りの構築方法を提供することを目的とする。
【課題を解決するための手段】
【０００６】
本発明（請求項１）のガラス扉取付用間仕切りの構築方法は、室内で間仕切り板を立設し、該間仕切り板の他方の側辺にヒンジを介してガラス扉を取り付けるガラス扉取付用間仕切りの構築方法において、該間仕切り板の上部を固定金具で壁又は天井に固定し、その後、前記ガラス扉を該間仕切り板にヒンジを介して取り付けることを特徴とする。
【０００７】
請求項２のガラス扉取付用間仕切りの構築方法は、請求項１において、前記固定金具は、前記間仕切り板に取り付けられる取付体と、先端側が該取付体に対し螺進可能に係合した可動体と、該可動体の後端に回転自在に取り付けられたフランジとを有しており、該取付体を間仕切り板に固定した後、該可動体を螺進させて該フランジを前記壁又は天井に当接させ、次いで該フランジを該壁又は天井にビス留めすることを特徴とする。
【０００８】
請求項３のガラス扉取付用間仕切りの構築方法は、請求項２において、前記取付体は、軸留めにより回動可能に連結された主ブロックと副ブロックとを有しており、該主ブロックに前記可動体が螺着されており、該軸留め用の軸が間仕切り板の板面と垂直となるように該副ブロックを該間仕切り板に固定し、該可動体の螺進方向が鉛直上方又は前記壁を向いた水平方向となるように該主ブロックの該軸回りの方向を定めることを特徴とする。
【発明の効果】
【０００９】
請求項１のガラス扉取付用間仕切りの構築方法にあっては、固定金具によって間仕切り板を壁又は天井に固定しておくので、該間仕切り板にガラス扉をヒンジによって取り付けることができる。従って、接着剤を用いたガラス扉取付用間仕切りに比べて、接着剤の硬化を待たずにガラス扉を取付可能であり、工事期間が短縮される。
【００１０】
請求項２のガラス扉取付用間仕切りの構築方法にあっては、取付体を間仕切り板に固定した後、可動体を螺進させて該可動体のフランジを壁又は天井に当接させてビス留めすることができるので、作業性が良好である。
【００１１】
請求項３のガラス扉取付用間仕切りの構築方法によると、主ブロックと副ブロックとが軸回りに回動可能に連結されており、まず副ブロックを間仕切り板に固定した後、主ブロックを正確に鉛直方向又は水平方向に合致させることができ、作業性が良好である。
【００１２】
なお、本発明では、間仕切り板として、ガラス板や石膏ボード、ＦＲＰパネル、セメント板、金属板など、およそ室の間仕切りとして使用可能な如何なるものでも使用することができる。
【発明を実施するための最良の形態】
【００１３】
以下に、図面を参照して本発明の実施の形態について説明する。
【００１４】
第１図は実施の形態に係るガラス扉取付用間仕切りの構築方法により構築されたガラス扉付間仕切りの斜視図、第２図はこの間仕切りの構築方法に用いられる固定金具の斜視図、第３図は第２図のIII−III線に沿う断面図、第４図はこの固定金具の分解斜視図である。
【００１５】
この実施の形態では、間仕切り１０は、ガラス板１１ａ，１１ｂ及びガラス扉１２からなるガラス間仕切りである。
【００１６】
第１図に示すように、この実施の形態の間仕切り１０は、室内をバスルーム１と脱衣所２とに仕切る。該バスルーム１内には浴槽３が設置されている。なお、該浴槽３は、図の壁Ｗと反対側の図示しない壁に沿って設けられた略直方体箱状の浴槽設置部４内に設置されている。該浴槽設置部４は、これらの壁同士を結ぶバスルーム１と脱衣所２との境界よりも該脱衣所２側へ若干張り出すようにして設けられている。
【００１７】
このバスルーム１と脱衣所２との境界に沿って、間仕切り１０を構成する間仕切り板としての複数枚（この実施の形態では２枚）のガラス板１１ａ，１１ｂが立設され、該ガラス板１１ａ，１１ｂ同士の間にガラス扉１２が配置されている。
【００１８】
該ガラス板１１ａは、一方の側辺を室の一方の壁Ｗに突き合わせるようにして室の床Ｆ上に立設されている。このガラス板１１ａは、該床Ｆからほぼ室の天井（図示略）まで達する高さとなっている。この実施の形態では、該ガラス板１１ａの下辺、該一方の側辺及び上辺がそれぞれ室の床Ｆ、壁Ｗ及び天井に対し接着剤１３によって接着されている。
【００１９】
また、ガラス板１１ｂは、一方（ガラス板１１ａと反対側）の側辺を前記反対側の壁に突き合わせるようにして浴槽設置部４上に立設されている。このガラス板１１ｂは、該浴槽設置部４の上面からほぼ室の天井まで達する高さとなっている。このガラス板１１ｂも、下辺、該一方の側辺及び上辺がそれぞれ浴槽設置部４の上面、該反対側の壁及び天井に対し接着剤１３によって接着されている。このガラス板１１ｂの他方（ガラス板１１ａ側）の側辺は、該浴槽設置部４の壁Ｗと対向する側面と略一直線状に連なるように延在している。
【００２０】
なお、この実施の形態では、該接着剤１３はシーリング剤を兼ねるものであり、各ガラス板１１ａ，１１ｂの一連の下辺、該一方の側辺及び上辺の全長にわたって連続して塗工され、これらと室の床Ｆ又は浴槽設置部４の上面、各壁及び天井との間をシールしている。
【００２１】
この実施の形態では、ガラス板１１ａの上部が、隣接する壁Ｗに対し固定金具２０によって固定されている。この固定金具２０の構成については後で述べる。
【００２２】
該ガラス板１１ａの他方（ガラス板１１ｂ側）の側辺に、ヒンジ１４を介して前記ガラス扉１２が開閉（回動）可能に取り付けられている。符号１２ａは、このガラス扉１２の把手部を示している。図示はしないが、各ガラス板１１ａ，１１ｂのガラス扉１２側の側辺、並びに床Ｆ及び天井のバスルーム１と脱衣所２との境界部には、それぞれ、ガラス扉１２が閉じた状態にあるときに該ガラス扉１２の周囲から脱衣所２側へ水が漏れ出すことを防止するための漏水防止部材が設けられている。
【００２３】
次に、前記固定金具２０の構成について第２〜４図を参照して説明する。
【００２４】
この固定金具２０は、ガラス板１１ａに取り付けられる取付体２１と、一端（先端）側が該取付体２１に対し螺進可能に係合した可動体２２と、該可動体２２の他端（後端）に回転自在に取り付けられたフランジ２３とを有している。
【００２５】
この実施の形態では、該取付体２１は、軸留めにより連結された主ブロック２４と副ブロック２５とからなる。符号２６は、この主ブロック２４と副ブロック２５との軸留め用の軸体を示している。該主ブロック２４に前記可動体２３が螺着されており、副ブロック２５がガラス板１１ａに固定される。
【００２６】
該副ブロック２５は、この実施の形態では、略円柱形の本体部２５ａと、該本体部２５ａの一端（先端）面に対しボルト２５ｂにより固定される押えプレート２５ｃと、該本体部２５ａの他端（後端）側から該本体部２５ａの軸心線と直交方向に突設された、主ブロック２４との連結片２５ｄとを備えている。該本体部２５ａの先端面中央には、該ボルト２５ｂが螺じ込まれる雌ねじ孔２５ｅが設けられている。また、該連結片２５ｄには、前記軸体２６の挿通孔２５ｆが設けられている。
【００２７】
該挿通孔２５ｆは、本体部２５ａの軸心線と平行方向に穿設されている。なお、軸体２６としてボルトを用いる場合、該挿通孔２５ｆは雌ねじ孔であってもよい。
【００２８】
この副ブロック２５は、該本体部２５ａと押えプレート２５ｃとの間にガラス板１１ａを挟むようにして該ガラス板１１ａに取り付けられる。該本体部２５ａとガラス板１１ａとの間及び押えプレート２５ｃとガラス板１１ａとの間には、それぞれワッシャ状のクッション材２７が配置されている。ガラス板１１ａの副ブロック取付予定領域にはボルト２５ｂの挿通孔１１ｃが穿設されている。該挿通孔１１ｃの内周面には、クッション材よりなるカラー２８が装着されている。
【００２９】
主ブロック２４も、この実施の形態では略円柱形となっている。この主ブロック２４の一端側からは、連結片２５ｄを保持するための１対の保持片２４ａ，２４ａが突設されている。該保持片２４ａ，２４ａは、連結片２５ｄに対し、前記本体部２５ａの軸心線方向の一方側及び他方側からそれぞれ対峙するように配置されている。
【００３０】
各保持片２４ａには、該連結片２５ｄの挿通孔２５ｆと重なり合う位置関係にて、軸体２６の挿通孔２４ｂが穿設されている。これらの挿通孔２４ｂ，２５ｆ，２４ｂに該軸体２６が挿通されることにより、主ブロック２４が副ブロック２５に対し該軸体２６を回動中心として回動しうるように連結されている。なお、該軸体２６の軸線方向は、副ブロック２５が取り付けられたガラス板１１ａの板面と直交方向（該板面の法線方向）となる。
【００３１】
該主ブロック２４の他端（後端）面には雌ねじ孔２４ｃが設けられている。該雌ねじ孔２４ｃは、主ブロック２４と同心状に形成されており、該主ブロック２４の先端側へ向って所定の奥行きを有している。
【００３２】
可動体２２は主ブロック２４よりも小径であり、一端（先端）側に該雌ねじ孔２４ｃと螺合する雄ねじ部２２ａを有している。この雄ねじ部２２ａを介して、該可動体２２が該雌ねじ孔２４ｃの奥側へ向う方向及び該雌ねじ孔２４ｃから突出する方向に螺進可能に係合している。
【００３３】
該可動体２２の他端（後端）面中央からは、フランジ取り付け用の凸軸２２ｂが突設されている。該凸軸２２ｂの中央には、ボルト螺じ込み用の雌ねじ孔（符号略）が穿設されている。
【００３４】
フランジ２３の中央には、該凸軸２２ｂが挿通される開口２３ａが設けられている。この開口２３ａに凸軸２２ｂを挿通し、該フランジ２３の裏側から該凸軸２２ｂの先端に押えプレート２２ｃをボルト２２ｄで固着することにより、フランジ２３が可動体２２の後端に対し、該可動体２２の軸心線回りに回動可能に取り付けられている。なお、フランジ２３の裏面側には、この押えプレート２２ｃを受け入れる凹所（符号略）が形成されており、該押えプレート２２ｃがフランジ２３の裏面から突出しないようになっている。
【００３５】
このフランジ２３の該開口２３ａ（可動体２２）の周囲には、該フランジ２３を壁に固定するためのビス（図示略）の挿通孔２３ｂが設けられている。
【００３６】
かかる構成の固定金具２０を用いてガラス間仕切り１０を構築する場合、まず、ガラス板１１ａの上部に固定金具２０を取り付け、次いでこのガラス板１１ａを壁Ｗに隣接させて立設し、固定金型２０を壁Ｗに留め付けて該ガラス板１１ａを固定する。次に、このガラス板１１ａの壁Ｗと反対側の側辺に、ヒンジ１４を介してガラス扉１２を取り付ける。その後、該ガラス板１１ａが床Ｆに対して垂直になるように固定金具２０を微調整する。そして、このガラス板１１ａの下辺、壁Ｗ側の側辺及び上辺をそれぞれ接着剤１３により室の床Ｆ、該壁Ｗ及び天井に接着する。
【００３７】
固定金具２０によりガラス板１１ａを壁Ｗに固定するに当っては、まず、予め可動体２２を雌ねじ孔２４ｃの奥側へ後退させておき、取付体２１の副ブロック２５をガラス板１１ａに取り付ける。この場合、該副ブロック２５の本体部２５ａの先端面を、クッション材２７を介してガラス板１１ａの一方（この実施の形態ではバスルーム１側）の板面に突き合わせるように配置すると共に、これと反対側の板面に、クッション材２７を介して押えプレート２５ｃを当て、前記挿通孔１１ｃを介して該押えプレート２５ｃを本体部２５ａにボルト２５ｂ留めする。この際、連結片２５ｄが壁Ｗ側を向くようにする。
【００３８】
次に、主ブロック２４を壁Ｗ側に向けて略水平に配置し、フランジ２３が壁Ｗに当接するまで可動体２２を該壁Ｗ側へ螺進させる。このとき、フランジ２３が壁Ｗに接近するのに伴い、主ブロック２４が軸体２６回りに回動して正確に水平方向に合致するようになる。フランジ２３が壁Ｗに当接した後、挿通孔２３ｂを介して該フランジ２３を壁Ｗにビス留めする。この結果、ガラス板１１ａの上部が固定金具２０によって壁Ｗに固定される。
【００３９】
このガラス扉取付用間仕切りの構築方法にあっては、固定金具２０によってガラス板１１ａを壁に固定しておくので、該ガラス板１１ａにガラス扉１２をヒンジ１４によって取り付けることができる。従って、接着剤を用いたガラス扉取付用間仕切りに比べて、接着剤の硬化を待たずにガラス扉を取付可能であり、工事期間が短縮される。また、ガラス扉を取り付けた後に該間仕切りを天井及び／又は床に垂直になるように固定することが可能であるため、ガラス扉の重みによって間仕切りがずれることなく整った仕上がりとすることができる。
【００４０】
この実施の形態では、取付体２１をガラス板１１ａに固定した後、可動体２２を螺進させて該可動体２２のフランジ２３を壁に当接させてビス留めすることができるので、作業性が良好である。
【００４１】
また、この実施の形態では、該取付体２１は、軸留めにより回動可能に連結された主ブロック２４と副ブロック２５とからなり、まず副ブロック２５をガラス板１１ａに固定した後、主ブロック２４を正確に水平方向に合致させることができ、作業性が良好である。
【００４２】
なお、ガラス板１１ｂも固定金型２０を用いて固定してもよい。
【００４３】
上記の実施の形態は本発明の一例を示すものであり、本発明は上記の構成に限定されない。
【００４４】
上記実施の形態では、間仕切り板（ガラス板）を固定金具により室の壁に固定しているが、第５図に示すように、天井に固定してもよい。なお、第５図はこのように構成された間仕切りの要部斜視図である。
【００４５】
この第５図の実施の形態では、間仕切り板１１を天井Ｒに固定するに当り、まず、間仕切り板１１の上部に、連結片２５ｄ（第５図では符号略）が天井Ｒ側を向くようにして副ブロック２５を取り付ける。次に、該間仕切り板１１を壁Ｗに隣接させて立設した後、主ブロック２４を天井Ｒに向けて略垂直に配置し、フランジ２３が該天井Ｒに当接するまで可動体２２を螺進させる。このとき、主ブロック２４が軸体２６（第５図では符号略）回りに回動して正確に垂直方向に合致するようになる。その後、該フランジ２３を天井Ｒにビス留めして間仕切り板１１を固定する。
【００４６】
本発明では、間仕切り板として、ガラス板以外にも、石膏ボードやＦＲＰパネル、セメント板、金属板など、およそ室の間仕切りとして使用可能な如何なるものでも使用することができる。
【００４７】
間仕切りは、バスルームの２面以上を囲むように構築されてもよい。
【００４８】
本発明は、バスルーム以外の種々の室の間仕切りの構築にも適用可能である。
【図面の簡単な説明】
【００４９】
【図１】実施の形態に係る間仕切りの構築方法により構築された間仕切りの斜視図である。
【図２】図１の間仕切りの構築方法に用いられる固定金具の斜視図である。
【図３】図２のIII−III線に沿う断面図である。
【図４】固定金具の分解斜視図である。
【図５】間仕切り板を室の天井に固定した構成を示す斜視図である。
【符号の説明】
【００５０】
１  バスルーム
２  脱衣所
１０  間仕切り
１１  間仕切り板
１１ａ，１１ｂ  ガラス板
１２  ガラス扉
１３  接着剤
１４  ヒンジ
２０  固定金具
２１  取付体
２２  可動体
２３  フランジ
２４  主ブロック
２５  副ブロック
２６  軸体
【図１】
2006316583.tif 000003
【図２】
2006316583.tif 000004
【図３】
2006316583.tif 000005
【図４】
2006316583.tif 000006
【図５】
2006316583.tif 000007